(57)【要約】      （修正有）【課題】１本の帯に文様配置を「はら紋」表現を、締めかたで４種以上の帯結びができ、また位置を微妙に移動させることで隣接文様との組み合わせ効果がでるようにした帯を提供する。【解決手段】（１）表面の「たれ」を肩にかけて締め始める方式、（２）表面の「て」を肩にかけて締め始める方式、（３）裏面の「たれ」を肩にかけて締め始める方式、（４）裏面の「て」を肩にかけて締め始める方式の４通りの帯結びができる。そのために表側の品質と裏側の品質を同じにする。１本の帯に４種類の文様または色相あるいは両者を用いて、それを緩斜線に区分けした６分割の部分に連続的に配置する。【選択図】図１
0003127901.tif 000002
【実用新案登録請求の範囲】
【請求項１】
本考案は、（１）表面の「たれさき」を肩にかけて締め始める方式  （Ａ）タイプ柄
（２）表面の「てさき」を肩にかけて締めはじめる方式  （Ｂ）タイプ柄
（３）裏面の「たれさき」を肩にかけて締め始める方式  （Ｃ）タイプ柄
（４）裏面の「てさき」を肩にかけて締めはじめる方式  （Ｄ）タイプ柄
により１本の帯に４通りの帯結び方式に対応する効果的な文様を配置することにより、「はら紋」に（Ａ），（Ｂ），（Ｃ），（Ｄ）に対応する文様を締め見せることができる。
【請求項２】
斜め柄分け文様は「はら紋」の位置を移動することで流動的に文様表現の移ろいを表す効果をだす。
【考案の詳細な説明】
【技術分野】
【０００１】  和装の「帯」に関して、実際に着装するキモノ姿から、「帯」の構成、文様配置を見直した帯の製造法を開発する。
【背景技術】
【０００２】  和装の需要が低迷するする状況において、１本の帯が４種以上の文様効果をもつ「多機能帯」を開発する。
【考案の開示】
【考案が解決しようとする課題】
【０００３】  一本の帯に文様配置を改良して「はら紋」締めかたで４種以上の帯結びができるようにする。                                                        （Ｃ）、（Ｄ）
【問題を解決するための手段】
【０００４】  本考案は、（１）表面の「たれさき」を肩にかけて締め始める方式  （Ａ）タイプ柄
（２）表面の「てさき」を肩にかけて締めはじめる方式  （Ｂ）タイプ柄
（３）裏面「たれさき」を肩にかけて締め始める方式    （Ｃ）タイプ柄
（４）裏面の「てさき」を肩にかけて締めはじめる方式  （Ｄ）タイプ柄
の４通りの帯結びができます。そのために表側の品質と裏側の品質同じにします。
表面の位置づけは、全長の６分割または自由に分割した文様を斜め取りに連続して配置します。（Ａ）−（Ｂ）−（Ｃ）−（Ｄ）−（Ａ）−（Ｂ）
裏面は表面全長の１／３から始まる位置を織はじめとして同じ柄の連続を配置します。
（Ｃ）−（Ｄ）−（Ａ）−（Ｂ）−（Ｃ）−（Ｄ）
従って帯の結び方式を替えることにより「はら紋」は（Ｃ）、（Ｄ）、（Ａ）、（Ｂ）、の任意の文様を選び締めることができる。
その効果は例えば（Ａ）、（Ｂ）、（Ｃ）、（Ｄ）の各文様を斜めきれ取り型に連続柄に配置すると、「はら紋」の文様表現は上記の４締め方式により（Ａ）、（Ｂ）、（Ｃ）、（Ｄ）はもとより、中間である（Ａ）−（Ｂ）、（Ｂ）−（Ｃ）、（Ｃ）−（Ｄ）、（Ｄ）−（Ａ）の文様をそれぞれ見せることができます。
斜め取りの効果ははら紋の位置を任意に移動することで、例えば（Ａ）から（Ｂ）への文様の移ろいを表すことができます。
【問題を解決するための手段】
【０００３】  帯は「たれさき」「おたいこ紋」、「はら紋」、「てさき」で構成され、「たれさき」を肩にかけて締め始めます。従って帯び姿は１つのシーンが原則です。
実際に帯び結びを行い、「おたいこ紋」、「はら紋」の位置を計測し、文様の位置を算出し一本の帯で４種以上の帯結びが可能な意匠文様の帯を考案する。
【考案を実施するための最良の形態】
【０００４】  帯の全長すべてに（Ａ）、（Ｂ）、（Ｃ）、（Ｄ）柄を連続斜め６分割し合成したものにする。特に４種の帯締め方式に対応する「はら紋」の位置を配置する。
【実施例】
【０００４】  帯の締め方（Ａ）、（Ｂ）、（Ｃ）、（Ｄ）の各方式に対応させて、それぞれを（春柄）、（夏柄）、（秋柄、）（冬柄）にすれば、一本の帯で四季に合わせた使い方が楽しめる。
【産業上の利用可能性】
【０００５】  日本人の伝統文化である和装が衰微している。その一因に「きもの」、「帯」の価格の高価なことと和装のＴＰＯがないといわれている。
本考案は１本の帯で４種以上のシーンが演出できるので、価格は約４／１となります。また、帯結びのバリエーションが豊富になり、業界の振興に寄与できる。
【図面の簡単な説明】
【０００６】
【図１】  帯の全体図  １，帯の全体図（表面）  ２．帯の全体図（裏面）  ３．たれさき  ４．おたいこ紋  ５．はら紋  ６．てさき
【図２】  ７．（Ａ）タイプ（表面）  てさき始め  はら紋  おたいこ紋  ８．（Ｂ）タイプ（表面）  たれさき始め  はら紋  おたいこ紋
【図３】  ９．（Ｃ）タイプ（裏面）  てさき始め  はら紋  おたいこ紋  １０．（Ｄ）タイプ（裏面）  たれさき始め  はら紋  おたいこ紋
【図１】
0003127901.tif 000003
【図２】
0003127901.tif 000004
【図３】
0003127901.tif 000005
【手続補正書】
【提出日】平成17年12月1日(2005.12.1)
【手続補正１】
【補正対象書類名】実用新案登録請求の範囲
【補正対象項目名】全文
【補正方法】変更
【補正の内容】
【実用新案登録請求の範囲】
【請求項１】
実用新案考案の範囲は、１本の帯を緩斜線に区分けした６分割の部分に配置とする。文様（Ａ）文様（Ｂ）文様（Ｃ）文様（Ｄ）の４種類の文様または色相あるいは両者を配置する。配置方法は次の通りです。（図１，図２，図３，図４，図９，図１０）
帯の表面「たれ」から（Ａ）（Ｂ）（Ｃ）（Ｄ）（Ａ）（Ｂ）「て」とする。
帯の裏面「たれ」から（Ｃ）（Ｄ）（Ａ）（Ｂ）（Ｃ）（Ｄ）「て」とする。
この文様構成の帯は４種以上の帯姿を結ぶことができる。とともに「まえ」は緩斜線区分を生かし、隣接の文様との柄の組み合わせにより文様表情の変化がでる帯姿４変化織帯製造方法です。
0003127901.tif 000006
0003127901.tif 000007
0003127901.tif 000008
0003127901.tif 000009
0003127901.tif 000010
0003127901.tif 000011
0003127901.tif 000012
0003127901.tif 000013
0003127901.tif 000014
0003127901.tif 000015
0003127901.tif 000016
【手続補正書】
【提出日】平成18年4月6日(2006.4.6)
【手続補正１】
【補正対象書類名】実用新案登録請求の範囲
【補正対象項目名】全文
【補正方法】変更
【補正の内容】
【実用新案登録請求の範囲】
【請求項１】
「たれさき」「おたいこ紋」「はら紋」「てさき」で構成された帯であって、連続斜め６分割し合成して（Ａ）（Ｂ）（Ｃ）（Ｄ）柄を形成し、（Ａ）（Ｂ）（Ｃ）（Ｄ）の４柄に対応して４種の帯締めを行う事ができるようにしたことを特徴とする帯。
【請求項２】
斜め柄分け文様は「はら紋」の位置を移動することで流動的に文様表現の移ろいを表すことができるようにしたことを特徴とする請求項１記載の帯。
【手続補正３】
【補正対象書類名】明細書
【補正対象項目名】図面の簡単な説明
【補正方法】変更
【補正の内容】
【図面の簡単な説明】
【０００１】
【図１】  本考案に係る帯の表面全体図である。
【図２】  本考案に係る帯の裏面全体図である。
【図３】  本考案に係る帯の（Ａ）柄の「たれ」の一例を示す説明図である。
【図４】  本考案に係る帯の（Ｂ）柄の「て」の一例を示す説明図である。
【図５】  本考案に係る帯の（Ａ）柄の「はら」の一例を示す説明図である。
【図６】  本考案に係る帯の（Ｂ）柄の「はら」の一例を示す説明図である。
【図７】  本考案に係る帯の（Ａ）柄の「たいこ」の一例を示す説明図である。
【図８】  本考案に係る帯の（Ｂ）柄の「たいこ」の一例を示す説明図である。
【図９】  本考案に係る帯の（Ｃ）柄の「て」の一例を示す説明図である。
【図１０】  本考案に係る帯の（Ｄ）柄の「たれ」の一例を示す説明図である。
【図１１】  本考案に係る帯の（Ｃ）柄の「はら」の一例を示す説明図である。
【図１２】  本考案に係る帯の（Ｄ）柄の「はら」の一例を示す説明図である。
【図１３】  本考案に係る帯の（Ｃ）柄の「たいこ」の一例を示す説明図である。
【図１４】  本考案に係る帯の（Ｄ）柄の「たいこ」の一例を示す説明図である。
【手続補正４】
【補正対象書類名】図面
【補正対象項目名】全図
【補正方法】変更
【補正の内容】
【図１】
0003127901.tif 000017
【図２】
0003127901.tif 000018
【図３】
0003127901.tif 000019
【図４】
0003127901.tif 000020
【図５】
0003127901.tif 000021
【図６】
0003127901.tif 000022
【図７】
0003127901.tif 000023
【図８】
0003127901.tif 000024
【図９】
0003127901.tif 000025
【図１０】
0003127901.tif 000026
【図１１】
0003127901.tif 000027
【図１２】
0003127901.tif 000028
【図１３】
0003127901.tif 000029
【図１４】
0003127901.tif 000030
【手続補正書】
【提出日】平成18年7月13日(2006.7.13)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】    和装の帯に関して、実際に着装するキモノ姿から、「帯」の構成、文様配置を見直した１本の帯による多種類の帯姿表現を可能にする帯の製造法を開発する。
【背景技術】
【０００２】    和装の需要が低迷する状況において、１本の帯で４種以上の帯姿文様効果を持つ「多機能帯」を開発する。
【考案の開示】
【考案が解決しようとする課題】
【０００３】      一本の帯に文様配置を「はら紋」表現を、締めかたで４種以上の帯結びができるようにする。図７（Ａ）結姿、図８（Ｂ）結姿、図１４（Ｃ）結姿、図１３（Ｄ）結姿の帯結びを可能にする。また位置を微妙に移動させることで隣接模様との組み合わせ効果が出るようにする開発です。
【問題を解決するための手段】
【０００４】本考案は、（１）表面の「たれ」を肩にかけて締め始める方式
（２）表面の「て」を肩にかけて締めはじめる方式
（３）裏面の「たれ」を肩にかけて締め始める方式
（４）裏面の「て」を肩にかけて締めはじめる方式
の４通りの帯結びができます。そのために表側の品質と裏側の品質を同じにします。
本考案は、１本の帯に４種類の文様または色相あるいは両者を用いて、それを緩斜線に区分けした６分割の部分に連続的に配置する。
文様（Ａ）文様（Ｂ）文様（Ｃ）文様（Ｄ）の配置方法は次の通りです。
帯の表面「てれ」から（Ａ）（Ｂ）（Ｃ）（Ｄ）（Ａ）（Ｂ）「て」とする。
帯の裏面「たれ」から（Ｃ）（Ｄ）（Ａ）（Ｂ）（Ｃ）（Ｄ）「て」とする。
結び始めを表面「たれ」の（Ａ）とすれば「はら」は（Ｃ）又は（Ｄ）となり「たいこ」は（Ａ）（Ｂ）（Ｃ）（Ｄ）を組み合わせて表現できます。
結び始めを裏面「たれ」の（Ｃ）とすれば「はら」は（Ａ）又は（Ｂ）となり「たいこ」は（Ａ）（Ｂ）（Ｃ）（Ｄ）を組み合わせて表現できます。
結び始めを表面「て」の（Ｂ）とすれば「はら」は（Ｄ）又は（Ｃ）となり「たいこ」は（Ａ）（Ｂ）（Ｃ）（Ｄ）を組み合わせて表現できます。
結び始めを裏面「たて」の（Ｄ）とすれば「はら」は（Ｂ）又は（Ｄ）となり「たいこ」は（Ａ）（Ｂ）（Ｃ）（Ｄ）を組み合わせて表現できます。
本考案は、１本の帯が４種以上の帯姿を結ぶことができるとともに、「はら」は緩斜線を生かした隣接の文様との柄の組み合わせにより文様表情の変化がつくれます。
【問題を解決するための手段】
【０００５】  帯は「たれ」「たいこ」、「はら」、「て」で構成され、「たれ」を肩にかけて締め始めます。従って帯び姿「まえ」、「たいこ」も自然に決まり１つのシーンが原則です。
この仕組みを打開するために実際に帯び結びを行い、「たいこ」、「はら」の位置を計測し文様の位置を算出した。一本の帯で４種以上の帯結びが可能な意匠文様の文様配置を考案した。
【考案を実施するための最良の形態】
【０００６】  帯の表面では、帯の全長を緩斜線に６分割した部分に（Ａ）、（Ｂ）、（Ｃ）、（Ｄ）の各文様を連続的に（たれ）からはじめて（Ａ）（Ｂ）（Ｃ）（Ｄ）（Ａ）（Ｂ）と配置すれば「はら」は（Ｃ）（Ｄ）となる。（図１）
帯の表面の（て）から始めると（Ｂ）（Ａ）（Ｄ）（Ｃ）（Ｂ）（Ａ）となり、「はら」は（Ｄ）（Ｃ）となる。
帯の裏面は「たれ」から（Ｃ）（Ｄ）（Ａ）（Ｂ）（Ｃ）（Ｄ）に配置すれば  「はら」は（Ａ）（Ｂ）となる。（図２）
帯に裏面の（て）から始めると（Ｄ）（Ｃ）（Ｂ）（Ａ）（Ｄ）（Ｃ）となり、「はら」は（Ｂ）（Ａ）となる。
帯結び始めを（表面）又は（裏面）或いはその（「て」始め）又は（「たれ」始め）として４種の帯締め方式にする帯の製造方法です。
【実施例】
【０００７】  帯の締め方（Ａ）、（Ｂ）、（Ｃ）、（Ｄ）の各方式に対応させて、それぞれを（春柄）、（夏柄）、（秋柄、）（冬柄）にすれば、一本の帯で四季に合わせた使い方が楽しめる。
【産業上の利用可能性】
【０００８】  日本人の伝統文化である和装が衰微している。その一因に「きもの」、「帯」の価格の高価なことと和装のＴＰＯがないといわれている。
本考案は１本の帯で４種以上のシーンが演出できるので、価格は約１／４となります。また、帯結びのバリエーションが豊富になり、業界の振興に寄与できる。
【図面の簡単な説明】
【０００９】
【図１】  本考案に係る帯の表面全体図である。
【図２】  本考案に係る帯の裏面全体図である。
【図３】  本考案に係る帯の（Ａ）柄の「たれ」の一例を示す説明図である。
【図４】  本考案に係る帯の（Ｂ）柄の「て」の一例を示す説明図である。
【図５】  本考案に係る帯の（Ａ）柄の「はら」の一例を示す説明図である。
【図６】  本考案に係る帯の（Ｂ）柄の「はら」の一例を示す説明図である。
【図７】  本考案に係る帯の（Ａ）柄の「たいこ」の一例を示す説明図である。
【図８】  本考案に係る帯の（Ｂ）柄の「たいこ」の一例を示す説明図である
【図９】  本考案に係る帯の（Ｃ）柄の「て」の一例を示す説明図である。
【図１０】  本考案に係る帯の（Ｄ）柄の「たれ」の一例を示す説明図である。
【図１１】  本考案に係る帯の（Ｃ）柄の「はら」の一例を示す説明図である。
【図１２】  本考案に係る帯の（Ｄ）柄の「はら」の一例を示す説明図である。
【図１３】  本考案に係る帯の（Ｃ）柄の「たいこ」の一例を示す説明図である
【図１４】  本考案に係る帯の（Ｄ）柄の「たいこ」の一例を示す説明図である。
【手続補正２】
【補正対象書類名】手続補正書
【補正対象項目名】手続補正３
【補正方法】削除
【補正の内容】